【手続補正書】
【提出日】平成25年2月19日(2013.2.19)
【手続補正１】
【補正対象書類名】特許請求の範囲
【補正対象項目名】全文
【補正方法】変更
【補正の内容】
【特許請求の範囲】
【請求項１】
移動局と基地局とを備えた移動通信システムにおける上り送信制御方法において、
前記移動局で、上り送信制御情報に基づいて、送信処理を行ない、
前記移動局と基地局との間で、送信処理に用いるＰＵＣＣＨ（Physical Uplink Control Channel）リソースに関する複数のパラメータを割り当て、
前記移動局で、第１の上り送信制御情報を有し前記基地局に対する接続処理を行なっている場合に、第２の上り送信制御情報の受信を含む該接続処理の過程で、該第１の上り送信制御情報の有効期限が、該移動局の識別情報を含む信号の送信を行なう前に到来すると、前記送信を行なわないと共に、割り当てられたＰＵＣＣＨリソースに関する複数のパラメータの一部を解放し、
前記移動局と前記基地局との間で、ランダムアクセスを実施する、
ことを特徴とする、上り送信制御方法。
【請求項２】
移動局と基地局とを備えた移動通信システムにおける上り送信制御方法において、
前記移動局で、上り送信制御情報に基づいて、送信処理を行ない、
前記移動局と基地局との間で、送信処理に用いるＰＵＣＣＨ（Physical Uplink Control Channel）リソースに関する複数のパラメータを割り当て、
前記移動局で、第１の上り送信制御情報を有し前記基地局に対する接続処理を行なっている場合に、第２の上り送信制御情報の受信を含む該接続処理の過程で、該第１の上り送信制御情報の有効期限が、該移動局の識別情報を含む信号の送信を行なう前に到来すると、前記送信を行なわないと共に、ＳＲＩ（Scheduling Request Indicator）に関わるパラメータ、ＣＱＩ（Channel Quality Information）に関わるパラメータ、及びＳＲＳ（Sounding Reference Signal）に関わるパラメータをセットで解放し、
前記移動局と前記基地局との間で、ランダムアクセスを実施する、
ことを特徴とする、上り送信制御方法。
【請求項３】
移動局と基地局とを備えた移動通信システムにおいて、
前記移動局は、
上り送信制御情報に基づいて、送信処理を行なう送信処理部と、
第１の上り送信制御情報を有し前記基地局に対する接続処理を行なっている場合に、第２の上り送信制御情報の受信を含む該接続処理の過程で、該第１の上り送信制御情報の有効期限が、該移動局の識別情報を含む信号の送信を行なう前に到来すると、前記送信を行なわないと共に、前記移動局と基地局との間で割り当てられる、送信処理に用いるＰＵＣＣＨ（Physical Uplink Control Channel）リソースに関する複数のパラメータについて、割り当てられたＰＵＣＣＨリソースに関する複数のパラメータの一部を解放し、前記移動局と前記基地局との間で、ランダムアクセスを実施する制御部と、を備える
ことを特徴とする、移動通信システム。
【請求項４】
移動局と基地局とを備えた移動通信システムにおいて、
前記移動局は、
上り送信制御情報に基づいて、送信処理を行なう送信処理部と、
第１の上り送信制御情報を有し前記基地局に対する接続処理を行なっている場合に、第２の上り送信制御情報の受信を含む該接続処理の過程で、該第１の上り送信制御情報の有効期限が、該移動局の識別情報を含む信号の送信を行なう前に到来すると、前記送信を行なわないと共に、前記移動局と基地局との間で割り当てられる、送信処理に用いるＰＵＣＣＨ（Physical Uplink Control Channel）リソースに関する複数のパラメータについて、ＳＲＩ（Scheduling Request Indicator）に関わるパラメータ、ＣＱＩ（Channel Quality Information）に関わるパラメータ、及びＳＲＳ（Sounding Reference Signal）に関わるパラメータをセットで解放し、前記移動局と前記基地局との間で、ランダムアクセスを実施する制御部と、を備える
ことを特徴とする、移動通信システム。
【請求項５】
前記基地局は、
前記移動局と基地局との間で、送信処理に用いるＰＵＣＣＨリソースに関する複数のパラメータを割り当てるＵＬ（Uplink）リソース管理部、を備える
ことを特徴とする、請求項３又は請求項４に記載の移動通信システム。
【請求項６】
移動局と基地局とを備えた移動通信システムにおける前記移動局であって、
上り送信制御情報に基づいて、送信処理を行なう送信処理部と、
第１の上り送信制御情報を有し前記基地局に対する接続処理を行なっている場合に、第２の上り送信制御情報の受信を含む該接続処理の過程で、該第１の上り送信制御情報の有効期限が、該移動局の識別情報を含む信号の送信を行なう前に到来すると、前記送信を行なわないと共に、前記移動局と基地局との間で割り当てられる、送信処理に用いるＰＵＣＣＨ（Physical Uplink Control Channel）リソースに関する複数のパラメータについて、割り当てられたＰＵＣＣＨリソースに関する複数のパラメータの一部を解放し、前記移動局と前記基地局との間で、ランダムアクセスを実施する制御部と、を備える
ことを特徴とする、移動局。
【請求項７】
移動局と基地局とを備えた移動通信システムにおける前記移動局であって、
上り送信制御情報に基づいて、送信処理を行なう送信処理部と、
第１の上り送信制御情報を有し前記基地局に対する接続処理を行なっている場合に、第２の上り送信制御情報の受信を含む該接続処理の過程で、該第１の上り送信制御情報の有効期限が、該移動局の識別情報を含む信号の送信を行なう前に到来すると、前記送信を行なわないと共に、前記移動局と基地局との間で割り当てられる、送信処理に用いるＰＵＣＣＨ（Physical Uplink Control Channel）リソースに関する複数のパラメータについて、ＳＲＩ（Scheduling Request Indicator）に関わるパラメータ、ＣＱＩ（Channel Quality Information）に関わるパラメータ、及びＳＲＳ（Sounding Reference Signal）に関わるパラメータをセットで解放し、前記移動局と前記基地局との間で、ランダムアクセスを実施する制御部と、を備える
ことを特徴とする、移動局。
【請求項８】
移動局と基地局とを備えた移動通信システムにおける前記基地局であって、
前記移動局と基地局との間で、送信処理に用いるＰＵＣＣＨ（Physical Uplink Control Channel）リソースに関する複数のパラメータを割り当てるＵＬ（Uplink）リソース管理部、を備えると共に、
上り送信制御情報に基づいて、送信処理を行なう送信処理部と、
第１の上り送信制御情報を有し前記基地局に対する接続処理を行なっている場合に、第２の上り送信制御情報の受信を含む該接続処理の過程で、該第１の上り送信制御情報の有効期限が、該移動局の識別情報を含む信号の送信を行なう前に到来すると、前記送信を行なわないと共に、割り当てられたＰＵＣＣＨリソースに関する複数のパラメータの一部を解放し、前記移動局と前記基地局との間で、ランダムアクセスを実施する制御部と、
を有する前記移動局から送信された信号を受信する受信処理部、を備える
ことを特徴とする、基地局。
【請求項９】
移動局と基地局とを備えた移動通信システムにおける前記基地局であって、
前記移動局と基地局との間で、送信処理に用いるＰＵＣＣＨ（Physical Uplink Control Channel）リソースに関する複数のパラメータを割り当てるＵＬ（Uplink）リソース管理部、を備えると共に、
上り送信制御情報に基づいて、送信処理を行なう送信処理部と、
第１の上り送信制御情報を有し前記基地局に対する接続処理を行なっている場合に、第２の上り送信制御情報の受信を含む該接続処理の過程で、該第１の上り送信制御情報の有効期限が、該移動局の識別情報を含む信号の送信を行なう前に到来すると、前記送信を行なわないと共に、ＳＲＩ（Scheduling Request Indicator）に関わるパラメータ、ＣＱＩ（Channel Quality Information）に関わるパラメータ、及びＳＲＳ（Sounding Reference Signal）に関わるパラメータをセットで解放し、前記移動局と前記基地局との間で、ランダムアクセスを実施する制御部と、
を有する前記移動局から送信された信号を受信する受信処理部、を備える
ことを特徴とする、基地局。
【手続補正２】
【補正対象書類名】明細書
【補正対象項目名】００１１
【補正方法】変更
【補正の内容】
【００１１】
例えば、以下の手段を用いる。
（１）移動局と基地局とを備えた移動通信システムにおける上り送信制御方法において、前記移動局で、上り送信制御情報に基づいて、送信処理を行ない、前記移動局と基地局との間で、送信処理に用いるＰＵＣＣＨ（Physical Uplink Control Channel）リソースに関する複数のパラメータを割り当て、前記移動局で、第１の上り送信制御情報を有し前記基地局に対する接続処理を行なっている場合に、第２の上り送信制御情報の受信を含む該接続処理の過程で、該第１の上り送信制御情報の有効期限が、該移動局の識別情報を含む信号の送信を行なう前に到来すると、前記送信を行なわないと共に、割り当てられたＰＵＣＣＨリソースに関する複数のパラメータの一部を解放し、前記移動局と前記基地局との間で、ランダムアクセスを実施する、上り送信制御方法を用いることができる。
【手続補正３】
【補正対象書類名】明細書
【補正対象項目名】００１２
【補正方法】変更
【補正の内容】
【００１２】
（２）移動局と基地局とを備えた移動通信システムにおける上り送信制御方法において、前記移動局で、上り送信制御情報に基づいて、送信処理を行ない、前記移動局と基地局との間で、送信処理に用いるＰＵＣＣＨ（Physical Uplink Control Channel）リソースに関する複数のパラメータを割り当て、前記移動局で、第１の上り送信制御情報を有し前記基地局に対する接続処理を行なっている場合に、第２の上り送信制御情報の受信を含む該接続処理の過程で、該第１の上り送信制御情報の有効期限が、該移動局の識別情報を含む信号の送信を行なう前に到来すると、前記送信を行なわないと共に、ＳＲＩ（Scheduling Request Indicator）に関わるパラメータ、ＣＱＩ（Channel Quality Information）に関わるパラメータ、及びＳＲＳ（Sounding Reference Signal）に関わるパラメータをセットで解放し、前記移動局と前記基地局との間で、ランダムアクセスを実施する、上り送信制御方法を用いることができる。
【手続補正４】
【補正対象書類名】明細書
【補正対象項目名】００１３
【補正方法】変更
【補正の内容】
【００１３】
（３）移動局と基地局とを備えた移動通信システムにおいて、前記移動局は、上り送信制御情報に基づいて、送信処理を行なう送信処理部と、第１の上り送信制御情報を有し前記基地局に対する接続処理を行なっている場合に、第２の上り送信制御情報の受信を含む該接続処理の過程で、該第１の上り送信制御情報の有効期限が、該移動局の識別情報を含む信号の送信を行なう前に到来すると、前記送信を行なわないと共に、前記移動局と基地局との間で割り当てられる、送信処理に用いるＰＵＣＣＨ（Physical Uplink Control Channel）リソースに関する複数のパラメータについて、割り当てられたＰＵＣＣＨリソースに関する複数のパラメータの一部を解放し、前記移動局と前記基地局との間で、ランダムアクセスを実施する制御部と、を備える移動通信システムを用いることができる。
【手続補正５】
【補正対象書類名】明細書
【補正対象項目名】００１４
【補正方法】変更
【補正の内容】
【００１４】
（４）移動局と基地局とを備えた移動通信システムにおいて、前記移動局は、上り送信制御情報に基づいて、送信処理を行なう送信処理部と、第１の上り送信制御情報を有し前記基地局に対する接続処理を行なっている場合に、第２の上り送信制御情報の受信を含む該接続処理の過程で、該第１の上り送信制御情報の有効期限が、該移動局の識別情報を含む信号の送信を行なう前に到来すると、前記送信を行なわないと共に、前記移動局と基地局との間で割り当てられる、送信処理に用いるＰＵＣＣＨ（Physical Uplink Control Channel）リソースに関する複数のパラメータについて、ＳＲＩ（Scheduling Request Indicator）に関わるパラメータ、ＣＱＩ（Channel Quality Information）に関わるパラメータ、及びＳＲＳ（Sounding Reference Signal）に関わるパラメータをセットで解放し、前記移動局と前記基地局との間で、ランダムアクセスを実施する制御部と、を備える移動通信システムを用いることができる。
【手続補正６】
【補正対象書類名】明細書
【補正対象項目名】００１５
【補正方法】変更
【補正の内容】
【００１５】
（５）移動局と基地局とを備えた移動通信システムにおける前記移動局であって、上り送信制御情報に基づいて、送信処理を行なう送信処理部と、第１の上り送信制御情報を有し前記基地局に対する接続処理を行なっている場合に、第２の上り送信制御情報の受信を含む該接続処理の過程で、該第１の上り送信制御情報の有効期限が、該移動局の識別情報を含む信号の送信を行なう前に到来すると、前記送信を行なわないと共に、前記移動局と基地局との間で割り当てられる、送信処理に用いるＰＵＣＣＨ（Physical Uplink Control Channel）リソースに関する複数のパラメータについて、割り当てられたＰＵＣＣＨリソースに関する複数のパラメータの一部を解放し、前記移動局と前記基地局との間で、ランダムアクセスを実施する制御部と、を備える移動局を用いることができる。
【手続補正７】
【補正対象書類名】明細書
【補正対象項目名】００１６
【補正方法】変更
【補正の内容】
【００１６】
（６）移動局と基地局とを備えた移動通信システムにおける前記移動局であって、上り送信制御情報に基づいて、送信処理を行なう送信処理部と、第１の上り送信制御情報を有し前記基地局に対する接続処理を行なっている場合に、第２の上り送信制御情報の受信を含む該接続処理の過程で、該第１の上り送信制御情報の有効期限が、該移動局の識別情報を含む信号の送信を行なう前に到来すると、前記送信を行なわないと共に、前記移動局と基地局との間で割り当てられる、送信処理に用いるＰＵＣＣＨ（Physical Uplink Control Channel）リソースに関する複数のパラメータについて、ＳＲＩ（Scheduling Request Indicator）に関わるパラメータ、ＣＱＩ（Channel Quality Information）に関わるパラメータ、及びＳＲＳ（Sounding Reference Signal）に関わるパラメータをセットで解放し、前記移動局と前記基地局との間で、ランダムアクセスを実施する制御部と、を備える移動局を用いることができる。
【手続補正８】
【補正対象書類名】明細書
【補正対象項目名】００１７
【補正方法】変更
【補正の内容】
【００１７】
（７）移動局と基地局とを備えた移動通信システムにおける前記基地局であって、前記移動局と基地局との間で、送信処理に用いるＰＵＣＣＨ（Physical Uplink Control Channel）リソースに関する複数のパラメータを割り当てるＵＬ（Uplink）リソース管理部、を備えると共に、上り送信制御情報に基づいて、送信処理を行なう送信処理部と、第１の上り送信制御情報を有し前記基地局に対する接続処理を行なっている場合に、第２の上り送信制御情報の受信を含む該接続処理の過程で、該第１の上り送信制御情報の有効期限が、該移動局の識別情報を含む信号の送信を行なう前に到来すると、前記送信を行なわないと共に、割り当てられたＰＵＣＣＨリソースに関する複数のパラメータの一部を解放し、前記移動局と前記基地局との間で、ランダムアクセスを実施する制御部と、を有する前記移動局から送信された信号を受信する受信処理部、を備える基地局を用いることができる。
【手続補正９】
【補正対象書類名】明細書
【補正対象項目名】００１８
【補正方法】変更
【補正の内容】
【００１８】
（８）移動局と基地局とを備えた移動通信システムにおける前記基地局であって、前記移動局と基地局との間で、送信処理に用いるＰＵＣＣＨ（Physical Uplink Control Channel）リソースに関する複数のパラメータを割り当てるＵＬ（Uplink）リソース管理部、を備えると共に、上り送信制御情報に基づいて、送信処理を行なう送信処理部と、第１の上り送信制御情報を有し前記基地局に対する接続処理を行なっている場合に、第２の上り送信制御情報の受信を含む該接続処理の過程で、該第１の上り送信制御情報の有効期限が、該移動局の識別情報を含む信号の送信を行なう前に到来すると、前記送信を行なわないと共に、ＳＲＩ（Scheduling Request Indicator）に関わるパラメータ、ＣＱＩ（Channel Quality Information）に関わるパラメータ、及びＳＲＳ（Sounding Reference Signal）に関わるパラメータをセットで解放し、前記移動局と前記基地局との間で、ランダムアクセスを実施する制御部と、を有する前記移動局から送信された信号を受信する受信処理部、を備える基地局を用いることができる。